(57)【要約】      （修正有）【課題】折り畳まれた傘本体が収納される防水処理ケースを内蔵した傘を提供する。【解決手段】全体的に見て正多角柱形状を有するものであり、下端が段差をなすように拡張して円形断面を有する係止部２１１、を備える固定取っ手部２１と、固定取っ手部２１と同じ正多角柱形状を有する回転取っ手部２２と、中央は前記固定取っ手部２１及び回転取っ手部２２に対応する正多角形に貫通されるスライド取っ手部２３と、傘の上端中央に装着されるものであり、下端の周囲に沿って形成され、スライド取っ手部２３に着脱可能に結合される傘先部２４とを含む構成とする。【選択図】図１
0003232727.tif 000002
【実用新案登録請求の範囲】
【請求項１】
傘（１）の傘取っ手（２）の内部に空間が形成され、傘の柄（１１）を含む傘（１）が内部に挿入されることができるようにする防水処理ケースを内蔵した傘であって、
全体的に見て正多角柱形状を有するものであり、下端が段差をなすように拡張して円形断面を有する係止部（２１１）、上面の中央に形成され、折畳式傘（１）の傘の柄（１１）の下端が挿入固定される傘柄挿着孔（２１２）、前記傘柄挿着孔（２１２）の周囲に円形リングの形状に陷沒した回転ガイド溝（２１３）、及び前記回転ガイド溝（２１３）の中間外側内径面に沿って断面半円形に陷沒して形成される第１ボール着座溝（２１４）を備える固定取っ手部（２１）と、
前記固定取っ手部（２１）と同じ正多角柱形状を有するものであり、前記回転ガイド溝（２１３）に挿入される下部の回転ガイド突起（２２１）、前記回転ガイド突起（２２１）の前記第１ボール着座溝（２１４）に対応する位置に断面半円形に陷沒した第２ボール着座溝（２２２）、第１及び第２ボール着座溝（２１４、２２２）によって形成された空間に挿入される複数のベアリングボール（２２３）、及び上部の外径面に沿って形成される溝に装着されるＯリング（２２４）を備える回転取っ手部（２２）と、
中央は前記固定取っ手部（２１）及び前記回転取っ手部（２２）に対応する正多角形に貫通され、上端から下部側に一回転方向に螺旋形に延びるガイド溝（２３１）及び前記ガイド溝（２３１）の端部の半円形着座溝（２３２）が内周に沿って放射状に一定の間隔で４個形成されるスライド取っ手部（２３）と、
前記傘（１）の上端中央に装着されるものであり、下端の周囲に沿って形成され、前記ガイド溝（２３１）を通して前記半円形着座溝（２３２）に着座される４個の半球形突起（２４１）、及び前記半球形突起（２４１）の下部に装着される水密リング（２４２）が形成され、前記スライド取っ手部（２３）に着脱可能に結合される傘先部（２４）とを含んでなることを特徴とする、防水処理ケースを内蔵した傘。
【請求項２】
前記傘先部（２４）には一つ以上の貫通された排水ホール（２４３）が形成されることを特徴とする、請求項１に記載の防水処理ケースを内蔵した傘。
【請求項３】
前記傘先部（２４）の上面は円形に陷沒し、底面に前記排水ホール（２４３）が形成され、陷沒した上端には内径が段差をなすように縮小する装着凹部（２４４）が形成され、外径面にはネジ山が形成され、
円板形に形成されて前記装着凹部（２４４）に挿入されて回転し、前記排水ホール（２４３）に対応する貫通ホール（２４５）を備え、中央にはつまみ（２４６）が突設される回転円板（２４７）と、
内径には前記傘先部（２４）の前記ネジ山に対応するネジ山が形成され、一側の内径面は段差をなすように縮小して前記回転円板（２４７）の離脱を防止する仕上げリング（２４８）とがさらに装着されることを特徴とする、請求項２に記載の防水処理ケースを内蔵した傘。
【考案の詳細な説明】
【技術分野】
【０００１】
本考案は防水処理ケースを内蔵した傘に関するもので、より詳しくは使用後に濡れた折畳式傘を携帯又は保管するために、別途のビニルバッグを使わず、傘取っ手と傘先部を傘保管ケース兼用に変形して折り畳まれた傘本体を収納することができるように開発された防水処理ケースを内蔵した傘に関するものである。
【背景技術】
【０００２】
雨天時に使われる傘は簡便な携帯のために２段〜４段に折り畳まれる折畳式傘と長傘に区分し、かつ自動で広げられる機能を有する傘と手動で広げられる傘に区分することができる。
【０００３】
その中で、折畳式傘の場合は、通常折り畳まれた状態で傘布を一方向に重ねながら巻くようにし、傘布に固定された固定バンドで固定するようにしている。
【０００４】
しかし、使ってから余り長く過ぎなかった濡れた傘の場合、この状態で携帯すれば水が付くから、別途のビニルバッグに入れるか、購入時に傘を収納している傘布材の保管袋を使用するとき、傘取っ手の掛け具に縛って携帯した後、これを解して傘を保管しているが、かばんなどに保管する場合には依然として水が漏れるおそれが高い。
【０００５】
特に、保管袋を使う場合、保管袋の紛失のおそれが高く、傘取っ手の掛け具に縛ったり解したりする過程がややこしいという欠点があった。
【０００６】
このように、多くの先行技術から傘を傘取っ手に収納することができる構造を有する構造を捜してみることができるが、傘を収納したり取り出したりする過程が複雑なものが大部分であるから、大部分が実際には使われていない。
【考案の概要】
【考案が解決しようとする課題】
【０００７】
本考案は前述した問題点を解決するために開発されたものであり、その目的は、傘の柄を別に分離したり組み立てたりする作業を行う必要なしに、傘取っ手と傘先を傘保管ケース兼用に変形することにより、折り畳まれた傘本体を傘取っ手に収納することができるようにするとともに簡便に傘を広げるか収納することができるようにする防水処理ケースを内蔵した傘を提供することにある。
【課題を解決するための手段】
【０００８】
前記のような目的を達成するために、本考案は、傘の傘取っ手の内部に空間が形成され、傘の柄を含む傘が内部に挿入されることができるようにする防水処理ケースを内蔵した傘であって、全体的に見て正多角柱形状を有するものであり、下端が段差をなすように拡張して円形断面を有する係止部、上面の中央に形成され、折畳式傘の柄の下端が挿入固定される傘柄挿着孔、前記傘柄挿着孔の周囲に円形リングの形状に陷沒した回転ガイド溝、及び前記回転ガイド溝の中間外側内径面に沿って断面半円形に陷沒して形成される第１ボール着座溝を備える固定取っ手部と、前記固定取っ手部と同じ正多角柱形状を有するものであり、前記回転ガイド溝に挿入される下部の回転ガイド突起、前記回転ガイド突起の第１ボール着座溝に対応する位置に断面半円形に陷沒した第２ボール着座溝、第１及び第２ボール着座溝によって形成された空間に挿入される複数のベアリングボール、及び上部の外径面に沿って形成される溝に装着されるＯリングを備える回転取っ手部と、中央は前記固定取っ手部及び回転取っ手部に対応する正多角形に貫通され、上端から下部側に一回転方向に螺旋形に延びるガイド溝及び前記ガイド溝の端部の半円形着座溝が内周に沿って放射状に一定の間隔で４個形成されるスライド取っ手部と、傘の上端中央に装着されるものであり、下端の周囲に沿って形成され、ガイド溝を通して半円形着座溝に着座される４個の半球形突起、及び前記半球形突起の下部に装着される水密リングが形成され、前記スライド取っ手部に着脱可能に結合される傘先部とを含んでなることを特徴とする。
【０００９】
また、前記傘先部には一つ以上の貫通された排水ホールが形成されることを特徴とする。
【００１０】
また、前記傘先部の上面は円形に陷沒し、底面に前記排水ホールが形成され、陷沒した上端には内径が段差をなすように縮小する装着凹部が形成され、外径面にはネジ山が形成され、円板形に形成されて前記装着凹部に挿入されて回転し、前記排水ホールに対応する貫通ホールを備え、中央にはつまみが突設される回転円板と、内径には前記傘先部のネジ山に対応するネジ山が形成され、一側の内径面は段差をなすように縮小して回転円板の離脱を防止する仕上げリングとがさらに装着されることを特徴とする。
【考案の効果】
【００１１】
前述したように、本考案は、スライド取っ手部を移動させて傘を収納するか引き出すように構成され、固定取っ手部を回転させれば、相対的に回転取っ手部が回転して傘がきちんと巻かれて整理されながら水が除去されるようにし、必要によって水が排出されるようにするので、傘の保管及び携帯が容易である効果がある。
【００１２】
また、本考案の防水処理ケースを内蔵した傘は、まず取っ手が上端部、中間部及び下端部の３段に分離されて取っ手の長さ調整が可能であり、３６０度の回転が可能であるので、取っ手の下端部の回転の際、中間部及び上端部の内部の多角形（八角筒）の内部で傘布が円筒状に巻かれることにより、傘布に結んでいる水滴を便利に除去することができる。
【図面の簡単な説明】
【００１３】
【図１】本考案の一実施例の斜視図である。
【図２】本考案の一実施例の分解斜視図である。
【図３】本考案の一実施例の断面図である。
【図４】本考案の一実施例による傘が引き出された状態を示す断面図である。
【図５】本考案の他の実施例の分解斜視図である。
【考案を実施するための形態】
【００１４】
以下、本考案の構成を添付図面に基づいて当業者が容易に理解して再現することができるように詳細に説明する。
【００１５】
図１は本考案の一実施例の斜視図、図２は本考案の一実施例の分解斜視図、図３は本考案の一実施例の断面図、図４は本考案の一実施例による傘が引き出された状態を示す断面図であり、傘１の傘取っ手２の内部に空間が形成され、傘の柄１１を含む傘１が内部に挿入されることができるようにする防水処理ケースを内蔵した傘であって、
【００１６】
全体的に見て正多角柱形状を有するものであり、下端が段差をなすように拡張して円形断面を有する係止部２１１、上面の中央に形成され、折畳式傘１の傘の柄１１の下端が挿入固定される傘柄挿着孔２１２、前記傘柄挿着孔２１２の周囲に円形リング形状に陷沒した回転ガイド溝２１３、及び前記回転ガイド溝２１３の中間外側内径面に沿って断面半円形に陷沒して形成される第１ボール着座溝２１４を備える固定取っ手部２１と、
【００１７】
前記固定取っ手部２１と同じ正多角柱形状を有するものであり、前記回転ガイド溝２１３に挿入される下部の回転ガイド突起２２１、前記回転ガイド突起２２１の第１ボール着座溝２１４に対応する位置に断面半円形に陷沒した第２ボール着座溝２２２、第１及び第２ボール着座溝２１４、２２２によって形成された空間に挿入される複数のベアリングボール２２３、及び上部の外径面に沿って形成される溝に装着されるＯリング２２４を備える回転取っ手部２２と、
【００１８】
中央は前記固定取っ手部２１及び回転取っ手部２２に対応する正多角形に貫通され、上端から下部側に一回転方向に螺旋形に延びるガイド溝２３１及び前記ガイド溝２３１の端部の半円形着座溝２３２が内周に沿って放射状に一定の間隔で４個形成されるスライド取っ手部２３と、
【００１９】
傘１の上端中央に装着されるものであり、下端の周囲に沿って形成され、ガイド溝２３１を通して半円形着座溝２３２に着座される４個の半球形突起２４１、及び前記半球形突起２４１の下部に装着される水密リング２４２が形成され、前記スライド取っ手部２３に着脱可能に結合される傘先部２４とを含んでなることを特徴とする防水処理ケースを内蔵した傘を示す。
【００２０】
本考案は、基本的にスライド取っ手部２３の移動によって内部空間が拡張するか縮小する原理によって拡張したとき、傘１が折り畳まれた状態で収納され、最終に傘先部２４を装着すれば完全に収納されるようにし、縮小したときは、傘１が外部に露出されて広がるようにしたものであり、分解斜視図で傘１の形状は省略した。
【００２１】
また、傘の柄１１は小口径のものが大口径のものに挿入される多段構造を有しているものであり、傘１も通常の２〜４段に折り畳まれる型のものが使われ、自動傘の場合には、固定取っ手部２１にボタンを形成して自動で広がる構造を有するようにすれば良いが、図１及び図２は自動傘の例を、図３及び図４は手動傘の例を示すものである。
【００２２】
また、本考案の固定取っ手部２１の回転ガイド溝２１３に回転取っ手部２２の回転ガイド突起２２１を挿入した後、第１及び第２ボール着座溝２１４、２２２と連通する固定取っ手部２１のネジホールを通してベアリングボール２２３を充填するようにし、その後、無頭ボルト２１５で仕上げるようにすることが好ましい。
【００２３】
本考案による傘１の使用において、右利きを基準に、右手で固定取っ手部２１を握り、左手でスライド取っ手部２３を回転させることにより、半球形突起２４１が半円形着座溝２３２から離脱するようにしてから引くことによって傘先部２４を分離し、スライド取っ手部２３は最下部に移動させる。
【００２４】
手動傘の場合、露出された傘を引いて傘の柄１１の長さを増やしてから広げればよく、自動傘の場合、ボタンを押して広げればよいものであり、図１及び図２に示した構造のように、スライド取っ手部２３のボタンを押せば、固定取っ手部２１のボタンが押し込まれて作動するようになるものである。
【００２５】
反対に、傘を折り畳む場合には、傘を折り畳み、下部側に完全に下げた状態でスライド取っ手部２３に傘骨の端部を少し入れ、右手で固定取っ手部２１を握るとともに左手でスライド取っ手部２３を握って一方向に回しながら固定取っ手部２１を引けば、傘は次第に挿入され、それに付いた水滴が圧力によって除去され、最終に傘先部２４をスライド取っ手部２３に結合すれば折畳が完了し、このように折り畳まれた状態では外部に水が漏れるおそれがなくて簡便にかばんに入れて保管することができるものである。
【００２６】
図５は本考案の他の実施例の分解斜視図であり、前記傘先部２４には一つ以上の貫通された排水ホール２４３が形成されることを特徴とする実施例を示す。
【００２７】
前記実施例は、水を排出しても構わない場所では排水ホール２４３を通して水が排出されるようにし、必要によって多様な方法で排水ホール２４３を開閉する構造を開発することができる。
【００２８】
よって、本考案は、前記傘先部２４の上面は円形に陷沒し、底面に前記排水ホール２４３が形成され、陷沒した上端には内径が段差をなすように縮小する装着凹部２４４が形成され、外径面にはネジ山が形成され、
【００２９】
円板形に形成されて前記装着凹部２４４に挿入されて回転し、前記排水ホール２４３に対応する貫通ホール２４５を備え、中央にはつまみ２４６が突設される回転円板２４７と、
【００３０】
内径には前記傘先部２４のネジ山に対応するネジ山が形成され、一側の内径面は段差をなすように縮小して回転円板２４７の離脱を防止する仕上げリング２４８とがさらに装着されることを特徴とする実施例を提示する。
【００３１】
前記実施例は、つまみ２４６を摘んで回転円板２４７を回転させて貫通ホール２４５と排水ホール２４３を一致させれば排水可能な状態になり、排水を防ぐためには貫通ホール２４５と排水ホール２４３が一致しないように回転させれば良い。
【００３２】
ここで、回転円板２４７と傘先部２４の水密のための構成を追加することができ、さらに一定の値以上の力ではなければ回転することができないようにする構造も多様な方法で案出することができる。
【図１】
0003232727.tif 000003
【図２】
0003232727.tif 000004
【図３】
0003232727.tif 000005
【図４】
0003232727.tif 000006
【図５】
0003232727.tif 000007